(57)【要約】【課題】携帯型プリンタと接続した状態において、携帯型プリンタの高速印刷等の機能を十分に発揮することができる記録紙カセットを提供する。【解決手段】プリンタに接続される記録紙カセットであって、記録紙を収納する収納部と、電池と、前記プリンタに前記電池の電力を供給するための電極端子と、を有することを特徴とする記録紙カセットを提供することにより上記課題を解決する。【選択図】  図３
2019167203.tif 000002
【特許請求の範囲】
【請求項１】
プリンタに接続される記録紙カセットであって、
記録紙を収納する収納部と、
電池と、
前記プリンタに前記電池の電力を供給するための電極端子と、
を有することを特徴とする記録紙カセット。
【請求項２】
前記記録紙を搬送するカセット給紙ローラと、
前記カセット給紙ローラを回転させるモータと、
を有し、
前記モータは、前記電池の電力により回転することを特徴とする請求項１に記載の記録紙カセット。
【請求項３】
前記電池は、前記プリンタに設けられている電池よりも電圧が高いことを特徴とする請求項１または２に記載の記録紙カセット。
【請求項４】
前記プリンタに設けられている給紙ローラの回転に連動して回転する補助ローラが設けられていることを特徴とする請求項１から３のいずれかに記載の記録紙カセット。
【請求項５】
前記プリンタには、前記記録紙カセットの着脱に連動して開閉するスイッチが設けられることを特徴とする請求項１から４のいずれかに記載の記録紙カセット。
【請求項６】
記録紙を収納する収納部と、
前記収納部の内部に前記記録紙を仕切る中仕切板を有し、
前記中仕切板の少なくとも一方に前記記録紙を通す開口部が設けられていることを特徴とする記録紙カセット。
【請求項７】
プリンタに接続され、カセット電池を収納する記録紙カセットと、
前記プリンタに収納されるプリンタ電池と、
前記プリンタを制御する制御部と、
前記プリンタと前記記録紙カセットとの接続に応じてオンオフが切り替えられるスイッチと、
を有し、
前記記録紙カセットが前記プリンタに接続されると前記プリンタ電池が前記制御部から分離されることを特徴とするプリンタ装置。
【発明の詳細な説明】
【技術分野】
【０００１】
本発明は、記録紙カセット及びプリンタ装置に関する。
【背景技術】
【０００２】
従来の携帯型プリンタは箱形に形成されており比較的大きく、バッグ等に入れられて持ち運ばれていたが、携帯型プリンタは小型で軽く、持ち運びやすいものが好ましい。また、携帯型プリンタでは、記録紙が収納される記録紙カセットが用いられる場合がある。
【先行技術文献】
【特許文献】
【０００３】
【特許文献１】特開２００６−１５９４２７号公報
【特許文献２】特開２００４−３４５８１９号公報
【発明の概要】
【発明が解決しようとする課題】
【０００４】
携帯型プリンタには電池が内蔵されており、電池に蓄えられた電力によりプリンタが駆動されるが、携帯型プリンタをできるだけ小型にするため、電池も小型で低容量なものが用いられる。
【０００５】
しかしながら、小型で低容量の電池では高速印刷等をすることができないが、小型の携帯型プリンタであっても、高速印刷等が可能であるものが好ましい。
【課題を解決するための手段】
【０００６】
本実施の形態の一観点によれば、プリンタに接続される記録紙カセットであって、記録紙を収納する収納部と、電池と、前記プリンタに前記電池の電力を供給するための電極端子と、を有することを特徴とする。
【発明の効果】
【０００７】
開示の記録紙カセットによれば、携帯型プリンタに接続することにより、携帯型プリンタを高速印刷等が可能にすることができる。
【図面の簡単な説明】
【０００８】
【図１】携帯型のプリンタの斜視図
【図２】携帯型のプリンタの断面図
【図３】第１の実施の形態の記録紙カセットの部分透過した斜視図（１）
【図４】第１の実施の形態の記録紙カセットの部分透過した斜視図（２）
【図５】第１の実施の形態の記録紙カセットの部分透過した正面図
【図６】携帯型のプリンタの正面図
【図７】第１の実施の形態の記録紙カセットにプリンタが接続された上面側の斜視図
【図８】第１の実施の形態の記録紙カセットにプリンタが接続された底面側の斜視図
【図９】第１の実施の形態の記録紙カセットに携帯端末が載置された上面側の斜視図
【図１０】第１の実施の形態の記録紙カセットに携帯端末が載置された底面側の斜視図
【図１１】第１の実施の形態の記録紙カセットに携帯端末が載置された断面図
【図１２】第１の実施の形態の記録紙カセットに取り付け板を用いた上面側の斜視図
【図１３】第１の実施の形態の記録紙カセットに取り付け板を用いた底面側の斜視図
【図１４】携帯型のプリンタへの携帯情報端末の取り付け方法の説明図（１）
【図１５】携帯型のプリンタへの携帯情報端末の取り付け方法の説明図（２）
【図１６】第１の実施の形態の記録紙カセットを説明するためのブロック図（１）
【図１７】第１の実施の形態の記録紙カセットを説明するためのブロック図（２）
【図１８】第２の実施の形態の記録紙カセットの部分透過した側面図
【図１９】第２の実施の形態の記録紙カセットの断面図（１）
【図２０】第２の実施の形態の記録紙カセットの断面図（２）
【図２１】第３の実施の形態の記録紙カセットの斜視図
【図２２】第３の実施の形態の記録紙カセットの説明図
【図２３】第３の実施の形態の記録紙カセットの構造の説明図
【図２４】第３の実施の形態の記録紙カセットの断面図
【発明を実施するための形態】
【０００９】
本発明を実施するための形態について、以下に説明する。尚、同じ部材等については同一の符号を付して説明を省略する。本願において、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】
〔第１の実施の形態〕
（プリンタ）
本実施の形態による記録紙カセットが取り付けられる携帯型のプリンタ１０について説明する。プリンタ１０は円柱状のペン型に形成されており、ペン型プリンタとも呼ばれる。プリンタ１０について図１及び図２に基づき説明する。図１はプリンタ１０の斜視図であり、図２はプリンタ１０の断面図である。プリンタ１０は、プリンタ機能と無線による通信機能とを有しているＩｏＴ（Internet of Things）デバイスである。
【００１１】
プリンタ１０は、サーマルヘッド等の印刷ヘッド１１、プラテンローラ１２、給紙ローラ１３、記録紙ガイド１４、加圧バネ、制御基板１６、給紙口センサ１７、内蓋５０、外蓋６０を有している。印刷ヘッド１１は加圧バネによりプラテンローラ１２に押されている。記録紙は、給紙ローラ１３が設けられている側から記録紙ガイド１４に沿ってプリンタ１０に入り、印刷ヘッド１１とプラテンローラ１２との間で挟まれた状態で、プラテンローラ１２により搬送されながら印刷されて排紙される。制御基板１６には、プリンタ１０の制御を行う電子回路や電子部品が搭載されている。
【００１２】
内蓋５０及び外蓋６０は円筒状であり、外蓋６０の内側に内蓋５０が入るように形成されている。内蓋５０にはその母線に沿って開口している給紙口５１及び排紙口５２が設けられており、外蓋６０にはその母線に沿って開口している給紙口６１及び排紙口６２が設けられている。外蓋６０は内蓋５０に対し回転可能である。
【００１３】
プリンタ１０により印刷を行う際には、内蓋５０の給紙口５１と外蓋６０の給紙口６１の位置が一致して開いており、内蓋５０の排紙口５２と外蓋６０の排紙口６２の位置が一致して開いている。このように開いている給紙口５１及び給紙口６１より記録紙がプリンタ１０に入り、排紙口５２及び排紙口６２より排紙される。プリンタ１０には、給紙口５１、６１が開放している状態で後述する記録紙カセット１００を給紙口６１に接続できる。
【００１４】
プリンタ１０で印刷を行う際には、印刷データが不図示の携帯情報端末よりプリンタ１０にＢＬＥ（Bluetooth Low Energy）等の無線通信により送信される。このため、プリンタ１０の内部には無線通信を行うためのアンテナが内蔵されている。
【００１５】
プリンタ１０には、充電池であるリチウムイオン電池が入れられた電源部８０が設けられており、リチウムイオン電池より供給される電力によりプリンタ１０を駆動することができる。プリンタ１０には、充電池に充電するための不図示のコネクタが内蔵されている。本願においては、プリンタ１０に内蔵されている充電池をプリンタ充電池と記載する場合がある。
【００１６】
プリンタ１０は、直径が約１８ｍｍ、長さは約１６５ｍｍ〜１７０ｍｍと小型であり、ストレスを伴うことなく持ち運びができる。プリンタ１０にはフック９０が設けられており、ペンと同様に胸のポケット等にさした状態で持ち運ぶことが可能である。
【００１７】
（記録紙カセット）
次に、第１の実施の形態の記録紙カセット１００について説明する。本実施の形態の記録紙カセット１００は、プリンタ１０に取り付けられて使用するものである。図３は、本実施の形態の記録紙カセット１００の筐体１１０を透過した斜視図であり、図４は記録紙カセット１００を別の方向から見た斜視図であり、図５は正面図である。
【００１８】
記録紙カセット１００は、筐体１１０内に記録紙１０１を収納することができ、２本の充電池１２０ａ、１２０ｂ、モータ１３０、カセット給紙ローラ１４０、補助ローラ１５０、制御基板１６０、電力送信用のコイル１７０が設けられている。また、制御基板１６０には、ＵＳＢコネクタ８１が設けられている。
【００１９】
記録紙カセット１００の筐体１１０の内側には、記録紙１０１の位置を規制するため、記録紙１０１の三方を囲むように複数の記録紙ガイド１１１が設けられており、図４に示されるように、記録紙ガイド１１１の内側に記録紙１０１が設置される。本願においては、記録紙ガイド１１１に囲まれた記録紙を収納する領域を収納部と記載する場合がある。また、２本の充電池１２０ａ、１２０ｂをカセット充電池と記載する場合がある。
【００２０】
収納部の底面には付勢バネ１１２が設けられており、重ねられた記録紙１０１をＺ１側に押し上げる。
【００２１】
記録紙カセット１００に設けられる２本の充電池１２０ａ、１２０ｂは、図示はしないが直列に接続されている。プリンタ１０の内部に設けられているプリンタ充電池は公称電圧が約３．６Ｖの一本（１セル）の充電池である。一方、記録紙カセット１００では、２本の充電池１２０ａ、１２０ｂを直列に接続することにより、プリンタ充電池の２倍の約７．２Ｖの電圧の電力が供給される。充電池１２０ａ、１２０ｂの電力は、記録紙カセット１００内のモータ１３０、制御基板１６０、コイル１７０に供給される他、プリンタ１０にも供給可能である。
【００２２】
モータ１３０は、カセット給紙ローラ１４０を回転させるためのものである。モータ１３０の回転軸にはギア１３１が取り付けられており、カセット給紙ローラ１４０の回転軸に取り付けられたギア１４１とギア１３１との間には、ギア１３２が設けられている。
【００２３】
Ｘ２側から見た場合、モータ１３０が時計回りに回転すると、ギア１３１も時計回りに回転し、ギア１３１と噛み合っているギア１３２は反時計回りに回転する。ギア１３２が反時計回りに回転すると、ギア１３２と噛み合っているギア１４１が時計回りに回転し、これに伴いカセット給紙ローラ１４０も時計回りに回転する。カセット給紙ローラ１４０は記録紙カセット１００内の一番上の記録紙１０１と接触しており、カセット給紙ローラ１４０が時計回りに回転することにより、接触している記録紙１０１をプリンタ１０側、即ち、Ｙ２側に一枚ずつ搬送し、プリンタ１０に供給することができる。
【００２４】
記録紙カセット１００のＹ２側には、プリンタ１０に記録紙カセット１００を取り付けるための２つのツメ１１３が設けられている。ツメ１１３をプリンタ１０の給紙ローラ１３のシャフトに引っ掛けることにより、プリンタ１０に記録紙カセット１００を取り付けることができる。
【００２５】
補助ローラ１５０は、カセット給紙ローラ１４０とは独立に回転する。記録紙カセット１００をプリンタ１０に取り付けた状態では、後述するように、補助ローラ１５０は給紙ローラ１３の回転に連動して回転し、プリンタ１０への記録紙１０１の供給を補助する。
【００２６】
また、記録紙カセット１００のプリンタ１０に取り付けられるＹ２側の面には、プリンタ１０と磁気吸着させるための２つの磁石１１４、プリンタ１０に充電池１２０ａ、１２０ｂからの電力を供給するための電極端子１１５ａ、１１５ｂ、プリンタ１０と情報通信をするための通信用端子１１６が設けられている。
【００２７】
図６に示されるように、プリンタ１０の給紙口５１及び給紙口６１に接続される側には、磁気接続部３１ａ、３１ｂ、電極端子３２ａ、３２ｂ、通信用端子３３が設けられている。磁気接続部３１ａ、３１ｂは、給紙口５１及び給紙口６１の両端部に各々設けられている。
【００２８】
磁気接続部３１ａ、３１ｂは記録紙カセット１００の磁石１１４と磁気吸着されるものであり、鉄、コバルト、ニッケルを含む金属材料などの磁気材料により形成されている。電極端子３２ａ、３２ｂは電極端子１１５ａ、１１５ｂと接続され、記録紙カセット１００よりプリンタ１０に電力が供給される。通信用端子３３は記録紙カセット１００の通信用端子１１６と接続され、プリンタ１０と記録紙カセット１００との間でのシリアルデータ情報通信を行う。
【００２９】
記録紙カセット１００とプリンタ１０とが磁石１１４により磁気吸着している状態では、電極端子１１５ａ、１１５ｂとプリンタ１０に設けられた電極端子とが接触し、充電池１２０ａ、１２０ｂの電力を記録紙カセット１００からプリンタ１０に供給することが可能となる。また、通信用端子１１６とプリンタ１０に設けられた通信用端子とが接触し、記録紙カセット１００とプリンタ１０との間で情報通信が可能となる。
【００３０】
本実施の形態においては記録紙カセット１００の両端２ヶ所に電極端子１１５ａ、１１５ｂが設けられている。そのため、プリンタ１０に記録紙カセット１００が斜めに取り付けられた場合など、記録紙カセット１００が正常にプリンタ１０に接続されていない場合には、電極端子１１５ａ／１１５ｂの少なくとも一方がプリンタの電極端子と接続されない状態になるため、プリンタ１０に記録紙カセット１００からの電力は供給されない。これにより、不完全な接続状態での動作による記録紙１０１の詰まり、ギア破損を防止できる。尚、電極端子１１５ａ及び１１５ｂのうちの一方が正極であり、他方が負極である。
【００３１】
また、本実施の形態においては、通信用端子１１６を介しプリンタ１０と記録紙カセット１００とが双方向の通信を行うので、モータ１３０の駆動の制御等の記録紙カセット１００の制御等をプリンタ１０から行うことができる。
【００３２】
制御基板１６０には不図示の制御ＩＣが搭載されており、モータ１３０の回転の制御等、記録紙カセット１００における様々な制御を行う。コイル１７０は、プリンタ充電池に無線充電するために設けられている。記録紙カセット１００のコイル１７０が設けられている部分の上にプリンタ１０を載置し、電力送信用のコイル１７０から放射された電磁波をプリンタ１０に設けられた不図示の電力受信用のコイル１７０が受信することにより、プリンタ充電池を非接触に充電することができる。
【００３３】
（プリンタとの接続）
次に、記録紙カセット１００とプリンタ１０との接続について説明する。上述したように、記録紙カセット１００に設けられたツメ１１３を給紙ローラ１３のシャフトに引っ掛けることにより、プリンタ１０に記録紙カセット１００が取り付けられる。これにより、記録紙カセット１００とプリンタ１０とが接続される。図７は、記録紙カセット１００が取り付けられた状態のプリンタ１０の上面側の斜視図であり、図８は底面側の斜視図である。
【００３４】
記録紙カセット１００の筐体１１０のＺ１側の面には、後述するスマートフォン等の携帯端末を載置する載置領域１１７が設けられており、携帯端末１８０は図９及び図１０に示すように載置領域１１７に載置される。図９は、プリンタ１０及び携帯端末１８０が取り付けられている状態の記録紙カセット１００の上面側の斜視図であり、図１０は底面側の斜視図である。図９及び図１０に示されるように、カバー１８１が取り付けられた携帯端末１８０を記録紙カセット１００の載置領域１１７に載置することができる。
【００３５】
図１１は、プリンタ１０及び携帯端末１８０が取り付けられている状態の記録紙カセット１００の断面図である。図１１に示されるように、ツメ１１３をプリンタ１０の給紙ローラ１３のシャフトに引っ掛けることにより、プリンタ１０に記録紙カセット１００を取り付けることができる。
【００３６】
プリンタ１０に記録紙カセット１００が取り付けられている状態では、給紙ローラ１３のギア１３ａと補助ローラ１５０のギア１５１とが噛み合った状態となる。そのため、補助ローラ１５０は給紙ローラ１３の回転に連動して回転し、プリンタ１０への記録紙１０１の供給を補助する。具体的には、図１１に示される状態のプリンタ１０により記録紙１０１に印刷を行う際には、プリンタ１０の不図示のモータによってギア１３ａを図示時計回りに回転し、これに伴い給紙ローラ１３を時計回りに回転させて、記録紙カセット１００から印刷ヘッド１１に向けて記録紙１０１を搬送させる。ギア１３ａが時計回りに回転するとギア１３ａと噛み合っている補助ローラ１５０のギア１５１が反時計回りに回転し、これに伴い補助ローラ１５０が反時計回りに回転する。
【００３７】
一方、記録紙カセット１００では、モータ１３０によってカセット給紙ローラ１４０がＸ２側から見て時計回りに回転し、記録紙カセット１００に納められている記録紙１０１がＹ２側に搬送される。このように搬送された記録紙１０１が給紙ローラ１３と補助ローラ１５０との間に入り込むと、記録紙１０１は給紙ローラ１３及び補助ローラ１５０の回転によりプリンタ１０の内部に搬送される。
【００３８】
本実施の形態の記録紙カセット１００では、カセット給紙ローラ１４０はプリンタ１０の給紙ローラ１３と独立して回転する。給紙ローラ１３の搬送速度はカセット給紙ローラ１４０の給紙速度より速く設定されており、記録紙１０１のたるみ防止がなされている。記録紙１０１が給紙ローラ１３により搬送されている間、印字への影響を防止する目的でカセット給紙ローラ１４０は給紙ローラ１３により搬送される記録紙１０１により自由回転となる。図２に示されるプリンタ１０の給紙口センサ１７により記録紙１０１の先端が検出された時点でモータ１３０は停止する。これにより、記録紙カセット１００からは記録紙が搬送されなくなる。そのため、記録紙１０１への印刷が終了した後に、記録紙カセット１００から次の記録紙１０１が出てしまうことを防ぐことができる。
【００３９】
（取り付け板）
記録紙カセット１００に携帯端末１８０を取り付ける際には、図１２から図１５に示されるように携帯端末１８０を取り付けるための取り付け板１８２を用いてもよい。図１２は、取り付け板１８２を用いて携帯端末１８０が取り付けられた状態の記録紙カセット１００の上面側の斜視図であり、図１３は底面側の斜視図である。図１４は、カバー１８１に収納された携帯端末１８０、取り付け板１８２、プリンタ１０、記録紙カセット１００各部の斜視図であり、図１５は固定バンド１８３により取り付け板１８２をプリンタ１０に取り付ける過程を示す。
【００４０】
図１２から図１５に示されるように、取り付け板１８２には、プリンタ１０を固定するための固定バンド１８３が設けられており、固定バンド１８３によりプリンタ１０の電源部８０を覆うことでプリンタ１０に取り付け板１８２が固定される。取り付け板１８２とカバー１８１とは接着されていてもよく、また、磁石等により磁気吸着するものであってもよい。
【００４１】
取り付け板１８２が取り付けられているカバー１８１に携帯端末１８０を収納し、固定バンド１８３により携帯端末１８０をプリンタ１０に固定した状態で、取り付け板１８２が記録紙カセット１００の載置領域１１７の側となるように載置され取り付けられる。
【００４２】
（電力供給）
次に、プリンタ１０への電力供給について図１６及び図１７に基づき説明する。プリンタ１０には、ＵＳＢコネクタ８１、充電回路８２、プリンタ充電池８３、ノックスイッチ８４、ダイオード８５、８６、第１のゲート回路７１、第２のゲート回路７２、論理和回路７３、ＤＣ−ＤＣコンバータ７４、ＣＰＵ（Central Processing Unit）を有する制御部７５、充電状態検出回路７６、開閉スイッチ７７が設けられている。開閉スイッチ７７は、プリンタ１０への記録紙カセット１００の接続に応じてオンオフが切り替えられるスイッチである。プリンタ１０に記録紙カセット１００が接続されているとき、開閉スイッチ７７は記録紙カセット１００の筐体１１０の一部によって押されてオフとなり、記録紙カセット１００が接続されていないときにオンとなる。開閉スイッチ７７は押されていない時に回路ショートするスイッチでプリンタ１０側に設けられており、給紙口５１に記録紙カセット１００が接続された時に記録紙カセット１００の筐体１１０の一部で押されて開閉する位置に設けられている。プリンタ充電池８３は電源部８０内に内蔵されている。ＤＣ−ＤＣコンバータ７４は、直流電圧を変換するためのものであり、３．６Ｖの直流電圧を入力すると、ロジック電圧である３Ｖの直流電圧を出力する。
【００４３】
制御部７５は、印加電圧検出部７８により印加されている電圧を検出する。カセット充電池１２０からは７．２Ｖの電圧が印加されるのに対し、プリンタ充電池からは３．６Ｖの電圧が印加される。そのため、制御部７５は、印加電圧検出部７８が検出した電圧に応じて、カセット充電池による駆動電圧印加時と、プリンタ充電池による駆動電圧印加時とで、プリンタ１０の制御を変えることができる。プリンタ充電池による駆動とカセット充電池による駆動とを切り分けるしきい値は、例えば５．５Ｖに設定すればよい。
【００４４】
図１６に基づき、プリンタ充電池８３を用いたプリンタ１０の駆動について説明する。図１６ではプリンタ１０には記録紙カセット１００が取り付けられていないため、開閉スイッチ７７は閉じられており、プリンタ充電池８３より電源供給する回路が形成されている。開閉スイッチ７７が閉じることにより、記録紙カセット１００が接続されていないときにはプリンタ充電池からの電流はダイオード８６をバイパスする。このように、開閉スイッチ７７が閉じられていると、プリンタ充電池８３の電圧が開閉スイッチ７７を介し、ノックスイッチ８４、第１のゲート回路７１、第２のゲート回路７２に印加される。この状態でノックスイッチ８４を押下すると、第１のゲート回路７１に電源オン要求信号が出力される。この信号を受けて、第１のゲート回路７１は、論理和回路７３に対し「Ｈ」を出力する。論理和回路７３は、「Ｈ」を次段のＤＣ−ＤＣコンバータ７４に出力する。ＤＣ−ＤＣコンバータ７４は、ロジック電圧ＶＤＤを出力する。これにより、制御部７５が起動し、第２のゲート回路７２に対し、ロック信号を出力する。このとき、ノックスイッチ８４を外しても、制御部７５がロック信号を出力し続けるため、この状態が継続される。制御部７５には、開閉スイッチ７７を介しプリンタ充電池８３の電圧が印加される。制御部７５には、印刷ヘッド１１を駆動する駆動回路やプラテンローラ１２を回転させるためのモータの駆動回路が設けられており、これらの駆動回路にプリンタ充電池８３の電力が供給される。尚、制御部７５には印加電圧検出部７８が設けられており、ヘッド／モータ等に印加されている給電電圧を検出し、検出電圧に応じたエネルギー制御、印字速度制御を行う。
【００４５】
プリンタ充電池８３による駆動の場合、印加電圧は５．５Ｖ未満であるため、制御部は検出された印加電圧に応じた処理、例えばプリンタ充電池８３による低速印字制御を行う。
【００４６】
図１７に基づき、プリンタ１０に記録紙カセット１００を取り付け、記録紙カセット１００に搭載されている充電池１２０ａ、１２０ｂを用いてプリンタ１０を駆動する場合について説明する。カセット充電池１２０によりプリンタを駆動する場合、プリンタ充電池８３を切り離さないと電圧の高いカセット充電池１２０からプリンタ充電池８３に過剰電流が流れ、障害の原因となる。本実施の形態では、プリンタ充電池８３へ過剰電流が流れることを防止する。
【００４７】
図１７の場合、プリンタ１０に記録紙カセット１００が取り付けられているため開閉スイッチ７７が開く。カセット充電池１２０の電圧は、制御部７５、ノックスイッチ８４、第１のゲート回路７１、第２のゲート回路７２に印加される。一方、カセット充電池の電圧の方がプリンタ充電池の電圧よりも高いため、記録紙カセット１００が接続されるとダイオード８６によりプリンタ充電池８３への回り込みは防止され、プリンタ１０の制御部７５などにはカセット充電池１２０より電力が供給される。同時に、プリンタ充電池８３が切り離される。また、カセット充電池１２０の電圧が印加された場合、制御部は検出された印加電圧に応じた処理、例えば高速印刷の処理を行うことができる。
【００４８】
プリンタ１０に記録紙カセット１００が取り付けられている状態では、プリンタ１０をカセット充電池１２０により駆動することができるが、カセット充電池１２０による駆動と並行して、プリンタ充電池８３を充電することも可能である。具体的には、ＵＳＢコネクタ８１より供給された電力を充電回路８２よりダイオード８５を介しプリンタ充電池８３に供給することにより、プリンタ充電池８３を充電することができる。尚、ＵＳＢコネクタ８１にＵＳＢ充電器が差されている場合、充電回路８２に印加される電圧は高々５Ｖ程度であるから、ダイオード８６により次段回路からは分離され、プリンタ１０の制御部７５等には引き込まないので通常に充電が実行される。
【００４９】
この際、充電回路８２の出力は、充電状態検出回路７６にも入力しており、充電状態検出回路７６から制御部７５に充電状態である旨の信号が入力され、これにより、制御部７５は、プリンタ充電池８３の充電を保証するとともにプリンタ動作を停止するため、第２のゲート回路７２にロック解除信号を送信する。
【００５０】
プリンタ充電池８３を充電中に記録紙カセット１００がプリンタ１０より外された場合には、印加電圧検出部７８はしきい値以下の電圧を検出する。このとき、制御部７５は記録紙カセット１００に接続確認を行う。記録紙カセット１００からの返信がなければ、制御部７５は記録紙カセット１００が切り離されたと判断する。一方、記録紙カセット１００からアクノーリッジが返れば、制御部７５はカセット充電池に異常が発生したと判断する。この場合、プリンタ充電池８３が充電中か否かの判断を行い、プリンタ充電池８３が充電中であり、プリンタ１０による記録紙１０１への印刷がなされていなければ、プリンタ１０の電源をオフにする。
【００５１】
また、プリンタ１０をプリンタ充電池８３により駆動しているときにプリンタ１０に記録紙カセット１００を取り付けると、しきい値を超える印加電圧が印加電圧検出部７８により検出される。このとき、制御部７５は記録紙カセット１００に接続確認信号を送る。記録紙カセット１００からアクノーリッジが返信されれば、制御部はカセットが接続されたと判断し、必要に応じて高速印字制御に切り換える。一方、記録紙カセット１００からアクノーリッジが検出されない場合は異常としてエラーをインジケータ表示し、プリンタ１０の動作を停止する。
【００５２】
ダイオード８６は、プリンタ充電池８３とカセット充電池１２０の切替を行う際のバックアップダイオードである。カセット充電池１２０が接続された場合、ダイオード８６によりカセット充電池１２０からプリンタ充電池８３への回り込みが防止される。また、（プリンタ充電池８３の電圧）＜（カセット充電池１２０の電圧）であるため、ダイオード８６が逆バイアスとなり、プリンタ充電池８３への充電と独立してプリンタ１０をカセット充電池１２０によって駆動可能であり、記録紙カセット１００を取り外すとき、開閉スイッチ７７のチャタリングによる瞬断を防止できる。
【００５３】
〔第２の実施の形態〕
次に、第２の実施の形態の記録紙カセット２００について説明する。本実施の形態の記録紙カセット２００にはカセット給紙ローラ２４０を回転させるためのモータは設けられておらず、補助ローラ１５０に設けられているギア１５１とカセット給紙ローラ２４０に設けられているギア２４１とが噛み合っている。図１８は、本実施の形態の記録紙カセット２００の筐体２１０を透過した側面図であり、図１９、図２０は、プリンタ１０に取り付けられている状態の記録紙カセット２００の断面図であり、異なる位置で切断したものである。
【００５４】
本実施の形態では、プリンタ１０に記録紙カセット２００を取り付けることにより、プリンタ１０の給紙ローラ１３に取り付けられたギア１３ａと、補助ローラ１５０に取り付けられたギア１５１とが噛み合った状態となる。
【００５５】
従って、プリンタ１０により記録紙１０１に印刷を行う際には、給紙ローラ１３が時計回りに回転する。一方、給紙ローラ１３の回転によりギア１３ａも時計回りに回転する。ギア１３ａが時計回りに回転するとギア１３ａと噛み合っているギア１５１が反時計回りに回転し、これに伴い、補助ローラ１５０が反時計回りに回転する。更に、ギア１５１が反時計回りに回転することによって、ギア１５１と噛み合っているカセット給紙ローラ２４０のギア２４１が時計回りに回転し、これに伴い、カセット給紙ローラ２４０も時計回りに回転する。この動作によって、カセット給紙ローラ２４０と接している記録紙カセット１００内の記録紙１０１がプリンタ１０側に搬送され、プリンタ１０内に給紙される。
【００５６】
本実施の形態においては、記録紙を搬送するためのモータが不要となるため、省電力が可能となる。
【００５７】
尚、上記以外の内容については、第１の実施形態と同様である。
【００５８】
〔第３の実施の形態〕
次に、第３の実施の形態について説明する。本実施の形態による記録紙カセット３００は、ファンフォールド紙に対応しているものである。図２１は、記録紙カセット３００の斜視図であり、図２３は記録紙カセット３００の内部を示す図であり、図２４はプリンタ１０に取り付けられた状態の記録紙カセット３００の断面図である。
【００５９】
記録紙カセット３００では、筐体３１０の内部に中仕切板３６０が設けられており、ファンフォールド紙３０１は折りたたまれた状態で筐体３１０の内部の中仕切板３６０の下側（Ｚ２側）に設置されている。中仕切板３６０のＺ１側の面には付勢バネ３７０が取り付けられており、更に、円滑にファンフォールド紙３０１が搬送されるように、Ｚ１側に凸となるＹ１−Ｙ２方向に延びる複数のリブ３６１が設けられている。中仕切板３６０のＹ１側には、中仕切板３６０の下側から上側にファンフォールド紙３０１を取り出すための開口部３６２が設けられている。これにより、中仕切板３６０の下側に設置されているファンフォールド紙３０１の一部が開口部３６２を通り、中仕切板３６０の上側の付勢バネ３７０の上に載置される。付勢バネ３７０は、ファンフォールド紙３０１をプリンタ１０に給紙しやすくするために、ファンフォールド紙３０１を上側、即ち、Ｚ１側に持ち上げている。
【００６０】
尚、図２１に示されるように、記録紙カセット３００がプリンタ１０と接続されていないと、記録紙カセット３００の正面側のツメ１１３、磁石、電極端子、通信用端子、補助ローラ１５０が露出する。このため、図２２に示されるように、プリンタ１０に接続されていない状態でも記録紙カセット３００を持ち運ぶことができるように、記録紙カセット３００の正面側を覆う前面カバー３１９を取り付けることができる。
【００６１】
本実施の形態による記録紙カセット３００を用いることにより、プリンタ１０によるファンフォールド紙３０１への印刷が可能となる。
【００６２】
尚、上記以外の内容については、第１の実施形態と同様である。
【００６３】
以上、本発明の実施に係る形態について説明したが、上記内容は、発明の内容を限定するものではない。
【符号の説明】
【００６４】
１０        プリンタ
１３        給紙ローラ
１００      記録紙カセット
１１０      筐体
１１５ａ、１１５ｂ    電極端子
１１６      通信用端子
１２０      カセット充電池
１３０      モータ
１３１、１３２、１４１      ギア
１４０      カセット給紙ローラ
１５０      補助ローラ
【図１】
2019167203.tif 000003
【図２】
2019167203.tif 000004
【図３】
2019167203.tif 000005
【図４】
2019167203.tif 000006
【図５】
2019167203.tif 000007
【図６】
2019167203.tif 000008
【図７】
2019167203.tif 000009
【図８】
2019167203.tif 000010
【図９】
2019167203.tif 000011
【図１０】
2019167203.tif 000012
【図１１】
2019167203.tif 000013
【図１２】
2019167203.tif 000014
【図１３】
2019167203.tif 000015
【図１４】
2019167203.tif 000016
【図１５】
2019167203.tif 000017
【図１６】
2019167203.tif 000018
【図１７】
2019167203.tif 000019
【図１８】
2019167203.tif 000020
【図１９】
2019167203.tif 000021
【図２０】
2019167203.tif 000022
【図２１】
2019167203.tif 000023
【図２２】
2019167203.tif 000024
【図２３】
2019167203.tif 000025
【図２４】
2019167203.tif 000026